(57)【要約】【課題】水道水の水圧を用いて物体を圧縮する物体の圧縮装置において、従来よりも少ない量の水道水で物体を圧縮する。【解決手段】水道水の水圧を用いて物体を圧縮する物体の圧縮装置１において、前記水道水の水圧で作動し、前記物体を圧縮し始めてから途中まで圧縮する小径のシリンダー３と、前記水道水の水圧で作動し、前記物体を前記圧縮途中から圧縮完了まで圧縮する大径のシリンダー５とを有する。【選択図】図１
2006315859.tif 000002
【特許請求の範囲】
【請求項１】
水道水の水圧を用いて物体を圧縮する物体の圧縮装置において、
前記水道水の水圧で作動し、前記物体を圧縮し始めてから途中まで圧縮する小径のシリンダーと；
前記水道水の水圧で作動し、前記物体を前記圧縮途中から圧縮完了まで圧縮する大径のシリンダーと；
を有することを特徴とする物体の圧縮装置。
【請求項２】
水道水の水圧を用いて物体を圧縮する物体の圧縮装置において、
基台と；
前記基台に着脱自在に、もしくは、前記基台に回動自在に設けられていると共に、前記物体を収納する容器を収納自在な容器収納部材と；
筐体が前記容器収納部材の上部で前記基台に一体的に設けられ、前記水道水の水圧で上下動する出力軸が下方に延出している小径のシリンダーと；
筐体が前記容器収納部材の上部でまた前記筐体が前記小径シリンダーの出力軸の下側で前記小径シリンダーの出力軸に一体的に設けられ、前記水道水の水圧で上下動する出力軸が下方に延出している大径のシリンダーと；
前記大径のシリンダーの出力軸の下側で前記大径のシリンダーの出力軸に設けられ、前記基台に設置された前記容器収納部材に収納されている前記容器内に収まっている物体を、前記小径のシリンダーの出力軸の作動、前記大径のシリンダーの出力軸の作動によって押圧する押圧部材と；
前記小径のシリンダーの出力軸が下端部もしくは前記下端部の近傍に位置しているときに、前記大径のシリンダーの筐体を前記基台に固定する固定手段と；
を有することを特徴とする物体の圧縮装置。
【請求項３】
水道水の水圧を用いて物体を圧縮する物体の圧縮装置において、
基台と；
前記基台に着脱自在に、もしくは、前記基台に回動自在に設けられていると共に、前記物体を収納する容器を収納自在な容器収納部材と；
筐体が前記容器収納部材の上部で前記基台に一体的に設けられ、前記水道水の水圧で上下動する出力軸が下方に延出している小径のシリンダーと；
筐体が前記容器収納部材の上部でまた前記筐体が前記小径シリンダーの出力軸の下側で前記小径シリンダーの出力軸に一体的に設けられ、前記水道水の水圧で上下動する出力軸が下方に延出している大径のシリンダーと；
前記大径のシリンダーの出力軸の下側で前記大径のシリンダーの出力軸に設けられ、前記基台に設置された前記容器収納部材に収納されている前記容器内に収まっている物体を、前記小径のシリンダーの出力軸の作動、前記大径のシリンダーの出力軸の作動によって押圧する押圧部材と；
前記容器収納部材内に存在している物体を前記大径シリンダーで圧縮するために、または、前記押圧部材で一旦圧縮された物体とこの圧縮された物体の上にさらに加えられた物体とを前記大径シリンダーで圧縮するために、前記小径のシリンダーの出力軸が所定の箇所に位置しているときに、前記大径のシリンダーの筐体を前記基台に固定する固定手段と；
を有することを特徴とする物体の圧縮装置。
【請求項４】
請求項２または請求項３に記載の物体の圧縮装置において、
前記固定手段は、前記大径シリンダーの筐体に一体的に設けられ前記基台に対して上下方向に移動自在に係合していると共に適宜位置に複数の切り欠きが形成されているガイド部材と；
前記基台に対して交差する方向に移動自在に係合していると共に前記各切り欠きに出入り自在なピンと；
前記ピンを移動するための水圧シリンダーと；
前記ピンの先端部側で前記ピンに対して回転自在に設けられていると共に、前記ピンが前記切り欠きに入っておらずしかも前記水圧シリンダーで前記ピンが前記ガイド部材の方向に付勢されているときには、前記ガイド部材に対して転がり接触をなすローラと；
を有することを特徴とする物体の圧縮装置。
【請求項５】
水道水の水圧を用いて物体を圧縮する物体の圧縮方法において、
前記水道水の水圧で作動する小径のシリンダーを用いて、前記物体を圧縮し始めてから途中まで圧縮する第１の圧縮段階と；
前記水道水の水圧で作動する大径のシリンダーを用いて、前記物体を前記圧縮途中から圧縮完了まで圧縮する第２の圧縮段階と；
を有することを特徴とする物体の圧縮方法。
【発明の詳細な説明】
【技術分野】
【０００１】
本発明は、物体の圧縮装置および物体の圧縮方法に係り、特に、水道水を用いて物体を圧縮するものに関する。
【背景技術】
【０００２】
ゴミの体積の少量化は人類の悲願であるが、その実現はなかなか難しい。物質文明が発達すればするほどゴミの量は一般的に増加するからである。
【０００３】
ゴミの最終処置は、焼却や再利用等によりなされているが、前記最終処理にいたるまでに回収を行なわなければならない。ゴミの体積が多いとゴミ回収車の運搬回数が増える等ゴミの回収に多くの労力を要することになる。
【０００４】
また、ゴミの体積が多いと焼却や再利用の設備も大型化し、ゴミ処理のコストが増大してしまい、ひいては、ＣＯ２の排出量の増加による地球温暖化、環境悪化を引き起こすことになる。
【０００５】
そこで、ゴミの体積を減少させるべく、従来、水道水の圧力で駆動する水圧シリンダーを用いてゴミを圧縮する装置が知られている（たとえば、特許文献１参照）。
【特許文献１】特開平７−１９５１９８号公報
【発明の開示】
【発明が解決しようとする課題】
【０００６】
ところで、ゴミを圧縮する場合、圧縮し始めには、ゴミの圧縮度合いが小さいので、小さな力でゴミを圧縮することができる。一方、圧縮完了直前では、ゴミの圧縮度合いが大きいので、大きな力でなければゴミを圧縮することができない。
【０００７】
前記従来の装置では、１本の水圧シリンダーを用いて、はじめから終わりまでほぼ同じ力でゴミの圧縮を行なうようになっている。
【０００８】
したがって、前記従来の装置では、ゴミを圧縮し始めるころのように小さな力しか必要としていない場合であっても大きな力でゴミを圧縮していることになり、水道水が無駄に使用されているという問題がある。
【０００９】
なお、前記問題は、ゴミを圧縮する場合のみならず水道水を用いてゴミ以外の物体（たとえば、粒状の物体）を圧縮する場合にも発生する問題である。
【００１０】
本発明は、前記問題点に鑑みてなされたものであり、水道水の水圧を用いて物体を圧縮する物体の圧縮装置において、従来よりも少ない量の水道水で物体を圧縮することができる物体の圧縮装置および物体の圧縮方法を提供することを目的とする。
【課題を解決するための手段】
【００１１】
請求項１に記載の発明は、水道水の水圧を用いて物体を圧縮する物体の圧縮装置において、前記水道水の水圧で作動し、前記物体を圧縮し始めてから途中まで圧縮する小径のシリンダーと、前記水道水の水圧で作動し、前記物体を前記圧縮途中から圧縮完了まで圧縮する大径のシリンダーとを有する物体の圧縮装置である。
【００１２】
請求項２に記載の発明は、水道水の水圧を用いて物体を圧縮する物体の圧縮装置において、基台と、前記基台に着脱自在に、もしくは、前記基台に回動自在に設けられていると共に、前記物体を収納する容器を収納自在な容器収納部材と、筐体が前記容器収納部材の上部で前記基台に一体的に設けられ、前記水道水の水圧で上下動する出力軸が下方に延出している小径のシリンダーと、筐体が前記容器収納部材の上部でまた前記筐体が前記小径シリンダーの出力軸の下側で前記小径シリンダーの出力軸に一体的に設けられ、前記水道水の水圧で上下動する出力軸が下方に延出している大径のシリンダーと、前記大径のシリンダーの出力軸の下側で前記大径のシリンダーの出力軸に設けられ、前記基台に設置された前記容器収納部材に収納されている前記容器内に収まっている物体を、前記小径のシリンダーの出力軸の作動、前記大径のシリンダーの出力軸の作動によって押圧する押圧部材と、前記小径のシリンダーの出力軸が下端部もしくは前記下端部の近傍に位置しているときに、前記大径のシリンダーの筐体を前記基台に固定する固定手段とを有する物体の圧縮装置である。
【００１３】
請求項３に記載の発明は、水道水の水圧を用いて物体を圧縮する物体の圧縮装置において、基台と、前記基台に着脱自在に、もしくは、前記基台に回動自在に設けられていると共に、前記物体を収納する容器を収納自在な容器収納部材と、筐体が前記容器収納部材の上部で前記基台に一体的に設けられ、前記水道水の水圧で上下動する出力軸が下方に延出している小径のシリンダーと、筐体が前記容器収納部材の上部でまた前記筐体が前記小径シリンダーの出力軸の下側で前記小径シリンダーの出力軸に一体的に設けられ、前記水道水の水圧で上下動する出力軸が下方に延出している大径のシリンダーと、前記大径のシリンダーの出力軸の下側で前記大径のシリンダーの出力軸に設けられ、前記基台に設置された前記容器収納部材に収納されている前記容器内に収まっている物体を、前記小径のシリンダーの出力軸の作動、前記大径のシリンダーの出力軸の作動によって押圧する押圧部材と、前記容器収納部材内に存在している物体を前記大径シリンダーで圧縮するために、または、前記押圧部材で一旦圧縮された物体とこの圧縮された物体の上にさらに加えられた物体とを前記大径シリンダーで圧縮するために、前記小径のシリンダーの出力軸が所定の箇所に位置しているときに、前記大径のシリンダーの筐体を前記基台に固定する固定手段とを有する物体の圧縮装置である。
【００１４】
請求項４に記載の発明は、請求項２または請求項３に記載の物体の圧縮装置において、前記固定手段は、前記大径シリンダーの筐体に一体的に設けられ前記基台に対して上下方向に移動自在に係合していると共に適宜位置に複数の切り欠きが形成されているガイド部材と、前記基台に対して交差する方向に移動自在に係合していると共に前記各切り欠きに出入り自在なピンと、前記ピンを移動するための水圧シリンダーと、前記ピンの先端部側で前記ピンに対して回転自在に設けられていると共に、前記ピンが前記切り欠きに入っておらずしかも前記水圧シリンダーで前記ピンが前記ガイド部材の方向に付勢されているときには、前記ガイド部材に対して転がり接触をなすローラとを有する物体の圧縮装置である。
【００１５】
請求項５に記載の発明は、水道水の水圧を用いて物体を圧縮する物体の圧縮方法において、前記水道水の水圧で作動する小径のシリンダーを用いて、前記物体を圧縮し始めてから途中まで圧縮する第１の圧縮段階と、前記水道水の水圧で作動する大径のシリンダーを用いて、前記物体を前記圧縮途中から圧縮完了まで圧縮する第２の圧縮段階とを有する物体の圧縮方法である。
【発明の効果】
【００１６】
本発明によれば、水道水の水圧を用いて物体を圧縮する物体の圧縮装置において、従来よりも少ない量の水道水で物体を圧縮することができるという効果を奏する。
【発明を実施するための最良の形態】
【００１７】
図１は、本発明の実施形態に係る物体の圧縮装置１の概略構成を示す図である。
【００１８】
物体の圧縮装置（以下単に「圧縮装置」という場合がある。）１は、水道水の水圧を用いて物体（たとえば、ゴミ）を圧縮する装置であり、水道水の水圧で作動する小径の水圧シリンダー（以下単に「小シリンダー」という場合がある。）３と、前記水道水の水圧で作動する大径の水圧シリンダー（以下単に「大シリンダー」という場合がある。）５とを備えている。
【００１９】
前記小シリンダー３は、ゴミを圧縮し始めてから途中まで圧縮するシリンダーであり、前記大シリンダー５は、前記小シリンダー３で途中まで圧縮されたゴミを前記圧縮途中から圧縮完了まで圧縮するシリンダーである。
【００２０】
小シリンダー３を駆動する水圧（たとえば、０．２ＭＰａ〜０．３ＭＰａ）と大シリンダー５を駆動する水圧とが等しいので、前記大シリンダー５のほうが前記小シリンダー３よりも大きな推力（ゴミを圧縮するための大きな力）を発生するようになっている。
【００２１】
ゴミとして、プラスチック系のゴミ、燃えるゴミ、鉄缶（肉厚缶を除く）、アルミニウム缶等を考えることができる。また、圧縮装置１では、分別されたゴミを圧縮することが好ましい。さらに、圧縮装置１を用いれば、プラスチック系のゴミならその体積を約１／７程度にすることができ、燃えるゴミならその体積を約１／８程度にすることができ、鉄缶のゴミならその体積を約１／３程度にすることができ、アルミニウム缶のゴミならならその体積を約１／４程度にすることができる。
【００２２】
圧縮装置１についてより詳しく説明する。
【００２３】
圧縮装置１は、基台７を備えている。この基台７には、詳しくは後述するが、容器収納部材１１が回動自在に設けられている。この容器収納部材１１は、ゴミを収納する容器９を収納自在になっている。
【００２４】
小シリンダー３の筐体（円筒状のシリンダーチューブ）１３は、前記容器収納部材１１の上部で、図示しない連結部材（支持部材）を介し前記基台７に一体的に設けられている。また、小シリンダー３の出力軸（ピストンロッド）１５は、下方に延出していると共に水道水の水圧で上下動（作動）するようになっている。
【００２５】
大シリンダー５の筐体（円筒状のシリンダーチューブ）１７は、前記容器収納部材１１の上部であって前記小シリンダー３の出力軸１５の下側で、前記小シリンダー３の出力軸１５に一体的に設けられている。また、大シリンダー５の出力軸（ピストンロッド）１９は、下方に延出していると共に水道水の水圧で上下動（作動）するようになっている。
【００２６】
前記大シリンダー５の出力軸１９の下側には、押圧部材２１が設けられている。この押圧部材２１は、前記小シリンダー３の出力軸１５の作動や前記大シリンダー５の出力軸１９の作動によって上下動するようになっている。
【００２７】
そして、押圧部材２１が下降することにより、基台７に設置された容器収納部材１１に収納されている容器９内に収まっているゴミを押圧し圧縮することができるようになっている。
【００２８】
また、前記圧縮装置１は、前記小シリンダー３の出力軸１５が下端部もしくは前記下端部の近くに位置しているときに（延出しきっているときもしくは延出しきった位置の近傍に存在しているときに）、前記大シリンダー５の筐体１７を前記基台７に対して固定する固定手段２３を備えている。
【００２９】
そして、前記小シリンダー３の出力軸１５が非突出であり（上端に位置し）かつ前記大シリンダー５の出力軸１９が非突出である（上端に位置している）状態において、前記ゴミが収まっている前記容器９を前記容器収納部材１１に設置し、この設置後、前記小シリンダー３の出力軸１５を筐体１３から延出して前記押圧部材２１で前記容器９内の前記ゴミを圧縮し、前記小シリンダー３の出力軸１５の延出が停止した状態で、前記固定手段２３で前記大シリンダー５の筐体１７を前記基台７に固定し、この固定後、前記大シリンダー５の出力軸１９を筐体１７から延出して前記押圧部材２１で前記容器９内のゴミをさらに圧縮するようになっている。
【００３０】
前記圧縮装置１についてさらに詳しく説明する。
【００３１】
前記基台７は、水平面状のデッキ部２５を備えており、このデッキ部２５の上側の所定の位置に下端部が閉じている前記容器収納部材１１が回動自在に設けられている。前記容器収納部材１１は、図５（図１におけるＶ矢視図）に示すように、下部に設けられた回動軸２７を回動中心にして前側に約４０°回動するようになっており、容器収納部材１１への容器９の出し入れが容易になっている。また、圧縮装置１のオペレータがゴミの圧縮状態を容易に確認し、また、前側に４０°回動させた状態で、圧縮すべきゴミを容器９内に追加投入等することができるようになっている。
【００３２】
前記容器収納部材１１の内側の側壁は、圧縮されたゴミを容易に取り出すことができるようにするために、上側の径が下側の径よりも僅かに大きい円錐台の側壁の形状に形成されており、前記容器収納部材１１の内側の底壁は、円形状になっている。
【００３３】
前記容器９は、前記容器収納部材１１内にちょうど収まる大きさ・形態に形成されている。また、前記容器９は、圧縮されたゴミと一緒に投棄できるようにたとえば再生紙で構成されている。
【００３４】
前記容器収納部材１１の底部には、バネ等の弾性体２９が設けられている。この弾性体２９を設けたことにより、押圧部材２１によるゴミの圧縮が解除されたとき（押圧部材２１による容器９の下方向への押し付けが解除されたとき）容器９の底部が容器収納部材１１の内側の底部にくっついたままになる事態を回避できる。なお、この弾性体２９を設けなくてもよい。
【００３５】
また、前記容器収納部材１１には、前記容器収納部材１１の上部（容器収納部材１１に収納された９の上端よりも僅かに上側）の内壁から、前記容器収納部材１１の底面まで通じている貫通孔３１が設けられており、この貫通孔３１の下側の開口部には、たとえば電気エネルギーで動作する脱臭装置３３が連結されており、ゴミが発する悪臭を取り除くことができるようになっている。
【００３６】
もっとも、ゴミがプラスチック系のゴミである場合には、前記脱臭装置３３等は不要である。
【００３７】
また、基台７には、前記大シリンダー５の筐体１７に一体的に設けられたガイド部材（たとえば上下方向に延伸している円柱状のガイド部材）３５と係合するガイド部３７が設けられている。
【００３８】
前記ガイド部材３５が前記ガイド部３７に係合していることにより、前記大シリンダー５の筐体１７が、前記基台７に対して上下方向に移動自在になっている。なお、前記大シリンダー５の筐体１７を上下方向に駆動するものは、すでに理解されるように前記小シリンダー３である。
【００３９】
前記大シリンダー５の筐体１７の下端部には、内径が前記容器収納部材（外側の側面が円柱側面状に形成されている容器収納部材）１１の外径よりも僅かに大きく、長さが、前記容器収納部材１１の高さよりも短い円筒状のカバー部材３９が設けられている。
【００４０】
前記大シリンダー５の出力軸１９の下部に設けられた押圧部材２１は、たとえば所定の厚さを備えた円板状に形成されており、この押圧部材２１の外径は前記容器９の底部の内径とほぼ等しくなっている。
【００４１】
前記容器９の上側の径が下側の径よりも大きく形成され、しかも、円板状の押圧部材２１の外径が前述したうように構成されていることにより、前記容器９内のゴミを圧縮しやすくなっている。
【００４２】
また、前記押圧部材２１の上面と前記大シリンダー５の筐体１７の下部との間には、たとえば引っ張りバネで構成された弾性体４１が設けられている。
【００４３】
したがって、前記大シリンダー５は、単動シリンダーを構成しており、前記大シリンダー５に水道水が供給されていない状態では、前記押圧部材２１は上端に位置するようになっている。
【００４４】
次に、固定手段２３について説明する。
【００４５】
図２は、固定手段２３の概略構成を示す図である。
【００４６】
固定手段２３は、水道水の水圧で作動する小さな水圧シリンダー４３を備えている。この水圧シリンダー４３により、基台７に係合しているピン４５が水平方向に移動するようになっている。
【００４７】
また、前記ガイド部材３５には、適宜な位置に切り欠き４７が設けられており、前記ピン４５が前記切り欠き４７に挿入されたときには、前記基台７に対して前記ガイド部材３５（大シリンダー５の筐体１７）が一体的に固定され（図２（ａ）参照）、前記ピン４５が前記切り欠き４７から抜け出たときには、前記基台７に対して前記ガイド部材３５（大シリンダー５の筐体１７）が移動することができるようになっている（図２（ｂ）参照）。
【００４８】
なお、前記ピン４５や前記切り欠き４７の上側が斜めになっており下側が水平になっているので、固定手段２３で基台７にガイド部材３５を固定した場合、基台７に対しガイド部材３５は極めて上昇しにくくなっている。
【００４９】
また、水圧シリンダー４３の代わりにソレノイドを用いてもよい。
【００５０】
次に、水道水の配管について説明する。
【００５１】
圧縮装置１には、水道水を各シリンダー３、５、４３に供給するための適宜の配管と各バルブＶ１〜Ｖ１１が設けられている。前記各バルブＶ１〜Ｖ１１はソレノイドを駆動することにより水道水の流れをオンまたはオフする機能を備えたソレノイドバルブである。
【００５２】
前記各水圧シリンダー３、５、４３の駆動に使用された水道水は、タンク４９に蓄えられるようになっており、前記タンク４９に蓄えられた水道水は、たとえば、風呂水等の生活用水として使用され、水道水が無駄になることを回避することができる。
【００５３】
次に、圧縮装置１の動作について説明する。
【００５４】
図３、図４は圧縮装置１の動作を示す図である。
【００５５】
まず、図１に示すように、各シリンダー３、５の各出力軸１５、１９は上端に存在し、各バルブＶ１〜Ｖ１１は閉じられ水道水が流れないようになっている。この状態で、ゴミの入った容器９が容器収納部材１１に収納されているものとする。また、固定手段２３により、ガイド部材３５が基台７に固定されている。
【００５６】
前記初期状態において、図示しない制御装置（圧縮装置１全体の動作をつかさどる制御装置）の制御の下、まず、バルブＶ８〜Ｖ１１を適宜オンオフし固定手段２３による固定を解除し、バルブＶ１、Ｖ２、Ｖ５を開いて水道水を通すと、小シリンダー３の出力軸１５が下降し、前記押圧部材２１でゴミを圧縮し始めると共に、ゴミを途中まで圧縮する（図３参照）。このとき、脱臭装置３３は稼動しているものとする。
【００５７】
図３に示す状態では、小シリンダー３の出力軸１５が下端に位置しており、大シリンダー５の筐体１７の下端が、容器収納部材１１の上端よりも僅かに上方に位置している。また、前記カバー部材３９が、前記容器収納部材１１の上端部周辺を覆っている。したがって、脱臭装置３３で、ゴミが発する悪臭を効率良く回収することができる。
【００５８】
続いて、バルブＶ８〜Ｖ１１を適宜オンオフし固定手段２３で、大シリンダー５の筐体１７を基台７に一体的に固定する。この固定は、大シリンダー５の出力軸１９が延出するときの反力により、小シリンダー３の出力軸１５が上昇してしまうことを防止するために行なうものである。
【００５９】
続いて、バルブＶ２、Ｖ５を閉じると共に、バルブＶ６を開いて、大シリンダー５の出力軸１９を下降させ、圧縮途中のゴミを圧縮完了状態まで圧縮する（図４）参照。このときも脱臭装置３３は稼動している。
【００６０】
続いて、バルブＶ８〜Ｖ１１を適宜オンオフし固定手段２３による固定を解除すると共に、各バルブを適宜駆動して、図１に示す状態（各出力軸１５、１９が上昇端に位置する状態）にし、脱臭装置３３の稼動を停止し、固定手段２３によるガイド部材３５の固定を行い、圧縮されたゴミが入っている容器９を取り出し、次に圧縮すべきゴミが入っている容器９を設置する。
【００６１】
圧縮装置１によれば、小さな力で圧縮できるときは、小シリンダー３でゴミを圧縮し、大きな力で圧縮することが必要なときは、シリンダー５でゴミを圧縮するので、小シリンダー３で圧縮する段階で水道水の使用量を節約することができ、従来よりも少ない量の水道水でゴミを圧縮することができる。また、水道水を使用するので、環境を汚染せず、経費もほとんどかからない。また、ゴミの体積が小さくなるので、ゴミの搬送回数を少なくすることができ、ゴミ回収車の台数も削減することができ、これにかかる経費も削減することができ、さらに、ゴミ回収車からでるＣＯ２の量を削減することができる。
【００６２】
なお、圧縮装置１では、２種類の径のシリンダーを用いてゴミを圧縮しているが、３種類以上の複数種の径のシリンダーを用いてゴミを圧縮してもよい。この場合、すでに理解されるように、圧縮し始めは小さな径のシリンダーを用い、圧縮の度合いが進むにつれて次第に大きな径のシリンダーを用い、ゴミを圧縮することになる。
【００６３】
ゴミが圧縮されることにより、前述した各問題を解決すること、すなわちたとえば、ゴミの搬送コスト等を低減することができると共に、ゴミが圧縮されるので、ゴミの集積場所に放置しておいてもカラス等にあらされるおそれを極力回避することができる。
【００６４】
また、詳しくは、後述するが、１回目のゴミの圧縮が終了した時点で、容器９を交換せず、この容器９に更なるゴミを追加し、圧縮を行なってもよい。このようなゴミの追加を１回でなく２回以上の複数回行なってもよい。このように複数回のゴミの圧縮を行なえば、１つの容器９で大量のゴミを圧縮することができ、容器９の使用量を節約することができる。
【００６５】
また、小シリンダー３の半径をたとえば４ｃｍにし、大シリンダー５の半径をたとえば１２ｃｍにし、水道水の圧力を０．３ＭＰａと仮定すると、小シリンダー３による圧縮力は約１５００Ｎ（ニュートン）になり、大シリンダー５による圧縮力は約１３６００Ｎになり、十分な圧縮力を得ることになる。
【００６６】
ただし、前記圧縮力の計算は、水道水の水圧のみを考慮して行なっており、水道水の質量等は無視している。
【００６７】
なお、圧縮装置１を実際に製作する場合には、小シリンダー３による水道水の使用量を極力削減すべく、図１に示す状態において、押圧部材２１と容器９の上端とができるだけ近くにあることが望ましい。ただし、容器９の出し入れができる程度に、押圧部材２１等が上方に退避することが必要である。
【００６８】
また、高所に溜めた雨水を低所に引いて水道水として使用するようにすれば、水道水の圧力得るためのポンプを駆動するモータの電気エネルギーが不要になり、自然のエネルギー（雨水の位置エネルギー）を利用してゴミの圧縮をすることができるので、環境負荷の一層小さい圧縮装置、圧縮方法を提供することができる。
【００６９】
さらに、前記実施形態では、ゴミを圧縮する場合を例に掲げて説明したが、プレスや解体処理をする際に、前記圧縮装置１を採用してもよい。
【００７０】
ところで、前述した圧縮装置１は、次に示すように適宜変更することができる。
【００７１】
図６は、前述した圧縮装置１の変形例である圧縮装置１ａの概略構成を示す図であり、図１に対応した図である。
【００７２】
変形例に係る圧縮装置１ａでは、板状の押圧部材２１の剛性を高めるべく、円板状の押圧部材の外周に円筒状の部位を一体的に立設した押圧部材２１ａを採用している。また、容器９の例である袋５１を採用し、カバー部材３９に貫通孔を設け、この貫通孔を脱臭装置３３に接続し、ゴミの脱臭を行なうようになっている。
【００７３】
さらに、固定手段２３を構成する切り欠き４７を、ガイド部材３５の上下方向で複数箇所に適宜設けてある。図６では、４７ａ〜４７ｄの切り欠きを４箇所設けてある。切り欠き４７ｄはガイド部材３５が上昇端の存在する場合に使用されるものであり、切り欠き４７ａ〜４７ｃの３箇所設けられている切り欠きが、ゴミを圧縮する際に使用されるものである。前記切り欠き４７の数は、ゴミを圧縮する回数に応じて、数を変更してもよい。
【００７４】
すなわち、容器収納部材１１に設置した容器９（袋５１）内に存在しているゴミを大径シリンダー５で圧縮するために、または、大径シリンダー５（押圧部材２１ａ）で一旦圧縮されたゴミと、この圧縮されたゴミの上にさらに加えられたゴミとを大径シリンダー５で圧縮するために、小径のシリンダー３の出力軸が所定の箇所に位置（容器収納部材１１に設置した容器９内に存在しているゴミの圧縮状態に関連した所定の位置）しているときに、大径のシリンダー５の筐体を基台７に固定することができる。
【００７５】
ここで、ゴミ（たとえば燃えるゴミ）を複数回圧縮する場合について詳しく説明する。
【００７６】
図８は、ゴミを複数回圧縮する場合について説明する図である。
【００７７】
まず、図８（ａ）に示すように、容器収納部材１１に設置した容器９（袋５１）内でゴミが満杯になっているものとする。この状態で、圧縮装置１ａを用いて圧縮すると、図８（ｂ）に示すようにゴミの体積が約１／８になる。この際には、切り欠き４７ａにピン４５が入り込んでガイド部材３５が基台７に固定され、大径のシリンダー５によるゴミの圧縮が行われる。
【００７８】
この１／８になったゴミが入った袋５１を収めた容器９を圧縮装置１ａから一旦取り出し、図７に示すゴミ箱５３の上段５５にもどす。
【００７９】
ゴミ箱５３は、公園や家庭等に設置され、プラスチック系のゴミ、燃えるゴミ、鉄缶のゴミ、アルミニウム缶のゴミを人が投入するための袋５１を収めた容器９を収納する部位５５が上方（上段）に並んで設けられている。ゴミ箱５３の中段には、新しい袋５１を収納する部位５７が設けられており、下段には、圧縮されたゴミが入っている袋５１を収納する部位５９が設けられている。
【００８０】
上段に設置された袋５１を収めた容器９には、ゴミ箱５３の上面からゴミを入れることができ、中段、下段は、ゴミ箱５３の側面から袋５１等を出し入れすることができるようになっている。
【００８１】
前述したように、一旦ゴミ箱５３に設置された袋５１を収めた容器９にさらにゴミ（圧縮されていないゴミ）が加えられた状態を図８（ｃ）に示す。図８（ｃ）に示した状態のゴミを、ゴミ圧縮機１ａでさらに圧縮すると図８（ｄ）に示すようになる。この際切り欠き４７ｂが使用される。
【００８２】
同様のゴミの投入や圧縮を、図８（ｅ）に示すように、圧縮されたゴミの体積が容器９の１／２程度になるまで、複数回行った後、１／２程度の圧縮されたゴミが入っている袋５１がゴミ箱５３の下段の部位５９に収納され廃棄されるのを待つことになる
圧縮装置１ａよれば、袋５１を収めた容器９に入れられたゴミを圧縮する際、一旦圧縮されたゴミと、この圧縮されたゴミの上にさらに加えられたゴミとを圧縮するので、１つの袋５１あたりのゴミの収納量が多くなり、袋５１の節約をはかることができる。
【００８３】
ここで、固定手段２３の変形例について説明する。
【００８４】
図９は、固定手段２３の変形例について説明する図であり、図９（ｂ）は、図９（ａ）におけるＩＸ−ＩＸ断面矢視を示す図である。
【００８５】
固定手段２３は、前述したように、適宜位置に複数の切り欠き４７が形成されているガイド部材３５と、基台７に対して交差する方向（たとえばほぼ水平方向）に移動自在に係合していると共に各切り欠き４７に出入り自在なピン４５と、ピン４５を移動するための水圧シリンダー６１とを備えて構成されている。
【００８６】
なお、ピン４５が、切り欠き４７に入ったときに、大径のシリンダー５の筐体が基台７に固定されるようになっている。また、水圧シリンダー６１は、単動シリンダーであり、バルブＶ３１、Ｖ３３を適宜開閉し、ピン４５が切り欠き４７に入る方向に移動する際には、弾性体（たとえば圧縮コイルバネ６３）を用いてピン４５を移動し、前記ピン４５が前記切り欠き４７から出る方向に移動する際には、水圧を用いてピン４５を移動するようになっている。さらに、ピン４５の切り欠き４７への出入りを容易にするための、ピン４５と切り欠き４７とで囲まれる空間ＳＰには、空気抜き孔（図示せず）が設けられている。なお、前述した圧縮装置１にも同様な空気抜き孔が設けられている。
【００８７】
水圧シリンダー６１の筐体は基台７に一体的に設けられており、水圧シリンダー６１の出力軸の先端部が、ピン４５の基端部（先端部とは反対に位置する基端部）接続されている。
【００８８】
ピン４５の先端部側には、ローラ６５が設けられている。ローラ６５は、ピン４５に対して回転自在に設けられていると共に、ピン４５が切り欠き４７に入っておらずしかもバネ６３でピン４５がガイド部材３５の方向に付勢されているときには、ガイド部材３５に対して転がり接触をなすようになっている。
【００８９】
さらに、ローラ６５は円柱形状に形成されており、ピン４５の先端部側に設けられているローラ６５が係合するための係合部は、円柱状の貫通孔の一部（ピン４５の先端部側の一部）を切り欠いた形状に形成されており、しかも、前記係合部は、前記係合部に設置されたローラ６５の側面と、このローラ６５の半周よりも広い部位にわたって係合するようになっている。
【００９０】
したがって、前記貫通孔の軸方向からは前記係合部にローラ６５を挿入して設置することは可能であるが、この設置後、周方向（たとえばピン６５の先端部の方向）には、ローラ６５がピン４５から抜け出ないようになっている。
【００９１】
また、ピン４５も、先端部側を斜めにした四角柱状に形成され、このピン４５が係合する基台７の係合部も四角柱状の孔で形成されている。したがって、ローラ６５を設置したピン４５を、ガイド部材３５が設置された基台７の係合部に設置すると、ローラ６５がピン４５から外れることはない。
【００９２】
なお、ガイド部材３５も、四角柱状に形成されており、基台７のガイド部材３５が係合する係合部も四角柱状の孔で形成されている。
【００９３】
次に、ゴミを圧縮する場合における水圧シリンダー６１等に動作について、図９〜図１２を用いて説明する。
【００９４】
まず、図９に示すように、ピン４５が切り欠き４７ｄの入り込んでいるものとする。
【００９５】
この状態で、バルブＶ３３を閉じておきバルブＶ３１を開くと、ピン４５が図１０に示すように切り欠き４７ｄから抜け出る。
【００９６】
続いて、小径のシリンダー３のみを用いて押圧部材２１ａを下降すると、ゴミがある程度圧縮され、このある程度圧縮されたゴミの反力で小径のシリンダー３の出力軸の下降（押圧部材２１ａの小さな力による下降）が停止する。
【００９７】
この停止した状態で水圧シリンダー６１への水道水の供給を停止し（バルブＶ３１を閉じバルブＶ３３を開き）、バネ６３の力でピン４５はガイド部材３５の切り欠き４７に入り込む方向にピン４５を付勢する。
【００９８】
このようにピン４５を付勢した状態で大径のシリンダー５に水道水を供給すると、図１１に示すように、ピン４５のローラ６５がガイド部材３５転がり接触しつつガイド部材３５が上昇し、図１２に示すように、切り欠き（小径のシリンダー３が下降を停止した際にピン４５の直近の下側に存在している切り欠き）にピン４５が入り込んでガイド部材３５の上昇が停止し、大径のシリンダー５によるゴミの圧縮は開始される。そして、水道水の無駄を抑制し効率良くゴミを圧縮することができる。
【００９９】
ここで、タンク４９について説明する。
【０１００】
図１３は、タンク４９の概略構成を示す図である。
【０１０１】
タンク４９は、圧縮装置１（１ａ）で使用された水道水を蓄え、この蓄えた水道水を掃除、洗濯機、浴槽、便所に供給することができるものである。
【０１０２】
タンク４９には、圧縮装置１（１ａ）以外にも、水道水を直接することができるようになっている。すなわち、センサーでタンク４９内の水量が少なくなったことが検出された場合には、バルブを開いて、適量の水道水がタンク４９内に供給されるようになっている。また、タンク４９からの水道水のオーバーフローを防止すべく、オーバーフローパイプが接続されている。
【図面の簡単な説明】
【０１０３】
【図１】本発明の実施形態に係る物体の圧縮装置の概略構成を示す図である。
【図２】固定手段の概略構成を示す図である。
【図３】圧縮装置の動作を示す図である。
【図４】圧縮装置の動作を示す図である。
【図５】図１におけるＶ矢視図である。
【図６】圧縮装置の変形例である圧縮装置の概略構成を示す図であり、図１に対応した図である。
【図７】ゴミ箱の概略構成を示す斜視図である。
【図８】ゴミを複数回圧縮する場合について説明する図である。
【図９】固定手段の変形例について説明する図である。
【図１０】固定手段の変形例について説明する図である。
【図１１】固定手段の変形例について説明する図である。
【図１２】固定手段の変形例について説明する図である。
【図１３】タンクの概略構成を示す図である。
【符号の説明】
【０１０４】
１  圧縮装置
３  小径のシリンダー
５  大径のシリンダー
７  基台
９  容器
１１  容器収納部材
１３  小シリンダーの筐体
１５  小シリンダーの出力軸
１７  大シリンダーの筐体
１９  大シリンダーの出力軸
２１  押圧部材
２３  固定手段
４５  ピン
４７  切り欠き
５１  袋
【図１】
2006315859.tif 000003
【図２】
2006315859.tif 000004
【図３】
2006315859.tif 000005
【図４】
2006315859.tif 000006
【図５】
2006315859.tif 000007
【図６】
2006315859.tif 000008
【図７】
2006315859.tif 000009
【図８】
2006315859.tif 000010
【図９】
2006315859.tif 000011
【図１０】
2006315859.tif 000012
【図１１】
2006315859.tif 000013
【図１２】
2006315859.tif 000014
【図１３】
2006315859.tif 000015